(57)【要約】  本発明は，光記録担体であって，事前に記録されたシステム情報を表しているエンボスされた構造を有する第1のエリア2と，情報を記録するために意図された第2のエリア3とを有し，前記第1のエリアは前記第2のエリアに対して光記録担体の内周側に位置して光記録担体のタイプを表示するエンボスされた構造4を有する，光記録担体1に関する。この光記録担体は更に，前記第2のエリアに位置していて，前記第1のエリアに隣接している表示エリア5を有し，当該表示エリアは，第2のエリアが全て記録されたと考えられるか，又は未記録若しくは部分的に記録されていると考えられるかどうかを示すために意図されている。本発明は，他に，本発明に従った光記録担体と共に使用する光学読み取り装置及び光学記録装置にも関する。
2009514130.tif 000002
【特許請求の範囲】
【請求項１】
事前記録されたシステム情報を表しているエンボスされた構造を有する第1のエリアと，情報を記録するために意図された第2のエリアとを有する光記録担体であって，前記第1のエリアは，前記第2のエリアに対して前記光記録担体の内周側に位置しており，前記光記録担体のタイプを表示するエンボスされた構造を有する光記録担体において，前記光記録担体は前記第2のエリア中で前記第1のエリアに隣接した場所に位置する表示エリアを更に有し，前記表示エリアは，前記第2のエリアが全て記録されていると考えられるか，又は未記録若しくは部分的に記録されていると考えられるかを表示するよう意図されていることを特徴とする，光記録担体。
【請求項２】
前記表示エリアは，前記第2のエリアが全て記録されたと考えられる場合に記録されるマークを持ち，前記第2のエリアが未記録又は部分的に記録されたと考えられる場合は，前記表示エリアは記録されたマークを持たない，請求項1に記載の光記録担体。
【請求項３】
第1のエリアと，第2のエリア内に位置する表示エリアとの間に移行エリアを更に有する，請求項1に記載の光記録担体。
【請求項４】
光記録担体のタイプを表示しているエンボスされた構造を読み取り，
前記光記録担体のタイプを表示している前記エンボスされた構造に基づいて，前記光記録担体が第1のタイプの光記録担体かどうかを決定し，
前記光記録担体が前記第1のタイプの光記録担体である場合は，表示エリアを走査し，
第2のエリアが全て記録されたと考えられるか，又は未記録若しくは部分的に記録されていると考えられるかを，表示エリアに基づいて決定するよう動作する，請求項1，2，又は3に記載の光記録担体を読み取るための光学読み取り装置。
【請求項５】
前記第2のエリアが全て記録されていると考えられる場合は前記第2のエリアに記録された情報を読み取り，前記第2のエリアが未記録又は部分的に記録されていると考えられる場合は読み取りを中止するよう更に動作する，請求項4に記載の光学読み取り装置。
【請求項６】
記録されたマークの反射率が，ランドの反射率に比べてより高い（Low-to-Highのマーク極性）場合，前記光記録担体は前記第1のタイプの光記録担体であると考えられる，請求項4に記載の光学読み取り装置。
【請求項７】
前記表示エリアを走査した時に高周波（HF）信号が検出された場合は，前記第2のエリアは全て記録されたと考えられると決定するよう動作し，前記表示エリアを走査した時に高周波（HF）信号が検出されない場合は，前記第2のエリアは未記録又は部分的に記録されていると考えられると決定するよう動作する，請求項4に記載の光学読み取り装置。
【請求項８】
第2のエリアが全て記録されたと考えられるか，又は未記録若しくは部分的に記録されていると考えられるかを決定するよう動作し，
前記第2のエリアが全て記録されていると考えられる場合は表示エリアにマークを記録するよう動作する，請求項1，2，又は3に記載の光記録担体に記録をする光学記録装置。
【請求項９】
光記録担体のタイプを表示しているエンボスされた構造を読み取り，
前記光記録担体のタイプを表示している前記エンボスされた構造に基づいて前記光記録担体が第1のタイプの光記録担体かどうかを決定し，
前記光記録担体が前記第1のタイプの光記録担体である場合は，表示エリアを走査し，
第2のエリアが全て記録されたと考えられるか，又は未記録若しくは部分的に記録されていると考えられるかを，前記表示エリアに基づいて決定するように光学読み取り装置が動作するようになる，光学読み取り装置にインストールされるよう意図された読み取りソフトウエア。
【請求項１０】
第2のエリアが全て記録されたと考えられるか，又は未記録若しくは部分的に記録されていると考えられるかを決定するよう動作し，
前記第2のエリアが全て記録されていると考えられる場合は表示エリアにマークを記録するように光学記録装置が動作するようになる，光学記録装置にインストールされるよう意図された記録ソフトウエア。
【発明の詳細な説明】
【技術分野】
【０００１】
本発明は，事前記録されたシステム情報を表しているエンボスされた構造を有する第1のエリアと，記録用に意図された第2のエリアとを有する光記録担体であって，前記第1のエリアは，第2のエリアに対して光記録担体の内周側に位置し，この光記録担体のタイプを示しているエンボスされた構造を有する，光記録担体に関する。本発明は更に，斯様な光記録担体を読取るための光学読取り装置に関し，及び斯様な光記録担体上に情報を記録するための光学記録装置に関する。
【背景技術】
【０００２】
冒頭に記された光記録担体は，（例えばCD，DVD及びBDのような）追記型（R）及び書換型（RW）の光記録システムでは良く知られている。斯様な光記録担体は，光学的な積層で構成されている。この積層は，普通は，ポリカーボネイトの基板と，少なくとも一つの光に敏感な色素層又は相変化層と，金又は銀合金の反射器と，保護のための塗料コーティングとから成っている。
【０００３】
情報は光記録担体の第2のエリアに，このエリアの反射率が変化されるよう加熱するためにレーザビームのような高出力の照射ビームを色素層又は相変化層上に集束させて記録される。これらの変化したエリアはマークと呼ばれ，様々な長さのマーク及びランド（マークとマークとの間の領域）の螺旋トラックを一般に形成している。マーク及びランドがもたらすパターンは，符号化されたデータが，光記録担体上に記録されたものである。
【０００４】
斯様な光記録担体へアクセスする（即ち，光記録担体から情報を読取る，又は光記録担体へ情報を記録する）ために，光学読取り装置及び/又は光学記録装置は，一般に，この光記録担体を数値化している幾つかのシステム情報を必要とする。斯様なシステム情報は，例えば光記録担体の製造者の表示，及び光記録担体のタイプの表示を含んでいる。この光記録担体に関するシステム情報は，一般には光記録担体それ自身に蓄積されていて，しばしばDisc Information（DI）と呼ばれる。この目的のために，消去不能なエンボスされた構造にてシステム情報（Disc Information）が事前記録されている第1のエリアが，光記録担体上に供されている。一般に，これはエンボスされたマークの形態である。光記録担体に関するシステム情報は，様々な長さのマーク及びランドのパターンにて符号化されていることに留意されたい。代替的には，光記録担体に関するシステム情報は，事前記録されたマーク列の半径方向の変調（即ち，斯様なマーク列において，その平均的な中心線からのマークの周期的な正弦波状偏移の変調）にて符号化されることが出来，又はBlu-rayディスク（BD）仕様に従う光記録担体の例と同様，エンボスされた溝の高周波の半径方向変調（HFM）にてさえ符号化されることが出来る。以下において，光記録担体のタイプを表示している事前記録されたマークを参照しながら，本発明が説明されよう。しかしながら，上述の代替的なエンボス構造の何れもが，本発明から逸脱することなく斯様な事前記録されたマークを置き換えることが出来ることに留意されたい。
【０００５】
システム情報を有するこの第1のエリアは，一般に光記録担体の内周側に位置している。このことは，通常光記録担体の内周側から読取りを開始する光学読取り装置が，続いて第2のエリアの記録された情報を読取る前に，先ず第1のエリアに在るシステム情報（Disc Information）にアクセスすることを可能にする。
【０００６】
Blu-rayディスク（BD）規格に従った，既知の追記型及び書換型の光記録担体は，比較的低い反射率を持つ（例えばCu/Siのような）合金タイプの層又は相変化層を一般的に有する。これらの光記録担体は，同光記録担体にアクセスすると，比較的低いプッシュプル信号をもたらす。このプッシュプル信号は，マークの在る螺旋トラックを追随するときに良く知られた制御信号である（例えばBouwhuis らのPrinciples of Optical Disc Systems, Adam Hilger Ltd.を参照）。
【発明の開示】
【発明が解決しようとする課題】
【０００７】
最近，色素層を持つBlu-rayディスク媒体もまた導入された。色素タイプの媒体は，CD-R及びDVD±Rで良く知られている。特に，所謂，in-grooveタイプの色素媒体が秀逸な記録特性を持つことがわかった。既知の色素媒体（即ちon-grooveタイプ）とは反対に，これらのin-grooveタイプの媒体は，Low-to-Highのマーク極性（ランドからマーク領域に入るときのRF信号の電圧レベル又は反射率の遷移が，低から高へと変化する）を持っている。これらのin-grooveタイプの媒体をon-grooveタイプの媒体から区別するために，システム情報（Disc Information）を有している第1のエリア中に，光記録担体の極性（High-to-Lowか，Low-to-Highか）を識別するエリアが導入された。
【０００８】
しかしながら，第2のエリアの未記録部分にアクセスすると，比較的高いプッシュプル信号をもたらすことが，これらの（Low-to-Highのマーク極性を持っている）in-grooveタイプの色素媒体の問題である（事前公開されていない欧州特許公報05103838.8；出願人整理番号PH000888を参照）。結果として，これらのin-grooveタイプの色素媒体は，特に第1世代のBDドライブとは，読み取り及び書込みの両方共，互換性を持たない。
【課題を解決するための手段】
【０００９】
現存する光学読取り装置及び/又は光学記録装置と，読取り及び書込みの互換性が在るin-grooveの色素層タイプの，冒頭で説明されたような光記録担体を提供することが，本発明の目的である。本発明に従った斯様な光記録担体にアクセスするための光学読取り装置及び光学記録装置を提供することが，本発明の他の目的である。本発明に従った光記録担体にアクセスするよう動作することが可能になる，現存する光学読取り装置及び/又は光学記録装置にインストールされるよう意図された，読取り用ソフトウエア及び記録用ソフトウエアを提供することが，本発明の更に別の目的である。
【００１０】
本発明の第1の態様によれば，この目的は，第2のエリアに位置し，第1のエリアに隣接した表示エリアを更に有する，冒頭に記された光記録担体を供することによって達成される。前記表示エリアは，第2のエリアが全て記録されたと考えられるか，又は未記録若しくは部分的に記録されていると考えられるかどうかを表示することを意図している。情報を記録するよう意図された第2のエリア内に情報（即ち，マーク）が記録されたとき，記録された部分のプッシュプル信号が，従来のレベルまで低下することが発明者達によって認知された。これを表示エリアに表示することによって，連続して記録された第2のエリアを持つBDの光記録担体の読取り互換性が，ここに達成された。表示エリアは通常のプッシュプル信号レベルを持っている第1のエリアに隣接して位置しているので，第2のエリアが全て記録されたかどうかに関係なく，読み取り装置及び/又は記録装置によって，この表示エリアは常にアクセス出来る。第1のエリアに近接していることは，この表示エリアへのアクセスを，第1のエリアから表示エリアへ向かって第2のエリアの沢山の溝の上をジャンプするというよりむしろ，限定された距離だけ（これゆえ，限定された時間だけ）単に溝を移動することによって可能にする。ラジアルエラー信号（即ち，プッシュプル信号）の大きさは比較的低く保てるので，光学的な利害という観点からは，斯様な溝の移動は沢山の溝の上をジャンプするのに比べて比較的安全である。
【００１１】
本発明による光記録担体を用いることにより，
−    第1のエリア内に在る光記録担体のタイプを表示している事前記録されたマークを読取ることにより， Low-to-Highのマーク極性（即ち，in-grooveタイプの媒体）を持った媒体を，他の媒体から区別することと，
−    斯様な媒体に対して，第2のエリアは1本の連続して記録されたエリアが残っている（即ち，全て記録された）かどうかを，表示エリアの状態に基づいて決定することと，
−    その次に，第2のエリアが全て記録されたと考えられる場合は，第2のエリア中に記録された情報を読取り，又は第2のエリアが未記録，若しくは部分的に記録されていると考えられる場合は，読み取りを中止すること，とが実現可能になる。
【００１２】
好ましい実施例において表示エリアは，第2のエリアが全て記録されたと考えられる場合に記録されるマークを持ち，第2のエリアが未記録であるか，又は部分的に記録されていると考えられる場合は，マークは記録されない。ここにおいて，表示エリアの状態は，高周波（HF）信号の有無によって単純に決められることが出来る。低品質のマークが表示エリアに記録された場合，復号は不正確になるが，第2のエリアの状態に関する情報を抽出するために，マーク及びランドの列が復号される必要が無いので，この実施例は堅牢である。
【００１３】
本発明に従った光記録担体の実施例において，第1のエリアと第2のエリア内に位置する表示エリアとの間に，移行エリアが供されている。この移行エリアは，マスタリングの際の移行効果（即ち，光記録担体の事前記録された（エンボスされた）エリアから記録が可能なエリアへの移行によって生じる所望しない効果）があるため確保されている。事前に記録された第1のエリア（BDシステムではPICバンドと呼ばれている）は，プッシュプル信号のレベルを減じるために特定の条件下でマスタリングが行われ，一般に，表示エリアが位置している記録が可能な第2のエリアよりも大きなトラックピッチを持っている。これゆえ，良好な記録性能を保証するために，移行エリアを持つことが望ましい。他の実施例において，この移行領域は6μmから16μmの範囲の好ましい幅を持った未記録のエリアであり，これは第1のエリアの条件から第2のエリアの条件へとマスタリング条件を変更するのに十分である。移行エリアの幅が上記の範囲内に選定された場合，この幅は，第1のエリアの条件から第2のエリアの条件へとマスタリング条件を変更するのに十分な大きさであると保証され，及び（移行エリアを走査する際に生じる）極めて長い追加のスタートアップタイムを招かないよう十分に小さいと保証される。
【００１４】
光記録担体のタイプを表示している事前記録されたマークを読取るように動作し，光記録担体のタイプを表示している事前記録されたマークに基づいて，当該光記録担体が第1のタイプ（in-grooveタイプ）かどうかを決定し，当該光記録担体が前記第1のタイプである場合は，表示エリアを走査するよう動作し，そして，第2のエリアが全て記録されているか，又は未記録であるか，若しくは部分的に記録されていると考えられるかどうかを，表示エリアに基づいて決定するよう動作する，本発明の第2の態様に従った光学読み取り装置が供される。この第2のエリアが全て記録されている場合，斯様な光学読み取り装置はin-grooveタイプの色素媒体の第2のエリアに記録された情報を読取ることが出来る。
【００１５】
第2のエリアが全て記録されているか，又は未記録であるか，若しくは部分的に記録されていると考えられるかどうかを決定するよう動作し，そして，第2のエリアが全て記録されていると考えられる場合は，表示エリアにマークを記録するよう動作する，本発明の第3の態様に従った光学記録装置が供される。斯様な光学記録装置は，第2のエリアが全て記録されている場合は，光記録担体上の表示エリアに表示を供することが出来る。
【００１６】
現存する光学読み取り装置及び/又は光学記録装置にインストール（所謂，ファームウエア更新）されることが出来，これらの装置は，本発明に従った光記録担体にアクセスするよう動作するようになる，本発明の更に別の態様に従ったソフトウエアが供される。斯様なソフトウエアは，例えばCD-ROM又はDVD-ROMディスクのような何らかのタイプの光記録担体で提供されることが可能である。
【００１７】
本発明は，Blu-ray ディスク用の光記録担体を参照して説明されているが，本発明は等しく同様に，及び本発明の概念から逸脱することなく，他のタイプの光記録担体で使われ得ることが留意される。更に，本発明は単層の光記録担体のみに限定されることなく，情報を記録するための二つ以上の層から成る光記録担体に，等しく同様に使われることが可能である。
【００１８】
以下で，本発明は添付の図面を参照してより詳細に明らかにされよう。
【発明を実施するための最良の形態】
【００１９】
光記録担体に記録された情報は，一般に，トラックに沿って構成されている。ディスク形状をした光記録担体上のトラックは，斯様なディスクの360度回転している連続した螺旋か，又は円状の線である。トラックは，溝及び/又は溝間に在るランド部分を有する。この溝は，記録層中で塹壕のような特徴をしており，隣接する溝からは記録層のランド部分によって隔てられており，塹壕の底部は，レーザビームのような照射ビームが光記録担体を走査するために照射している光記録担体の面に，より近いか又は同面から更に離れたところに在る。利用者の情報は，ランド及び/又は溝に，光学的に検知可能なマークの形式にて記録されることが出来る。
【００２０】
色素層を持つ光記録担体では，データが記録されている色素の容積が，基板表面に在る溝に閉じ込められているときは，記録のプロセスはより最適である。（現行のCD-R及びDVD+Rディスクのような）on-groove型の媒体の場合，色素を閉じ込めている溝状の断面は，光記録担体の照射光の入力する面の方向を指し示している。最近導入されたin-groove型のBD媒体の場合，溝は照射光の入力する面とは逆の方向を指し示している（この例では，溝間に在るランド部分が照射光の入力する面を指し示している）。半径方向のトラッキングは，ディスクのタイプに依存している（すなわち，on-grooveトラッキング対in-grooveトラッキング）ことに留意されたい。
【００２１】
情報は，光記録担体の第2のエリアに，このエリアの反射率が変化するよう同エリアを加熱することが出来る，レーザビームのような高出力の照射ビームを色素層に集束させることによって記録される。記録されるべき情報は，マークと呼ばれるこれらの変化したエリアの列と，ランド（マークの間の変化していないエリア）の列とに，ここで符号化される。従来，マークは，所謂High-to-Lowのマーク極性をもたらす，周囲のランドに相対して低い反射率を持つエリアである。これとは逆に，最近導入されたin-groove型のBD媒体は，Low-to-Highのマーク極性を持ち，斯様なマークの反射率は，その周囲のランドの反射率よりも高い。
【００２２】
光記録担体を溝に相対して走査するための照射光のスポットの半径方向の位置は，所謂プッシュプル（又は差動）法を用いて検出される。この半径方向のトラッキング方法は，各検知セグメントが反射された照射ビームの半径方向に異なる部分を各々受信出来るように，光記録担体から反射された照射ビームの経路に配置されている，少なくとも二つの照射光感受性の有る検知セグメントを使用する。二つの検知セグメントの出力信号間の差は，照射スポットの，溝に対する半径方向の位置に関する情報を含んでいる。もしも，二つの出力信号が等しければ，照射スポットの中心は溝の中心と一致するか，さもなければ，二つの隣接する溝の間の中心に一致する。プッシュプル信号は，（Bouwhuis らによるAdam Hilger Ltd.社の）「Principle of Optical Disc systems」として刊行されたスカラ量の回折計算にて演算することが出来る。一般には，プッシュプル信号は，トラックの走査中に反射された，例えばレーザビームのような照射ビームの経路中に在る，分割された検知器の右側の検知セグメントI1及び左側の検知セグメントI2からの信号を減算することによって導かれる。一般には，プッシュプル信号は，正規化されたパラメータPPN = < I1- I2> / [I1 + I2]として規定される（ここに，< I1- I2> は， I1- I2の差の最大値を示し，[I1 + I2]は，I1＋ I2の平均値を示す）。
【００２３】
最近導入されたin-grooveタイプ（Low-to-Highのマーク極性を持つ）の色素層を持ったBD媒体の場合，（ブランクエリアとも呼ばれる）未記録エリアからもたらされたPPN信号のレベルは大変高く，無機化合物のBD媒体のレベルの3倍までにも達する。従来からの非点収差によるフォーカシング法で動作する装置は，高い光学的なフィードスルーを被る。この結果として，フォーカスサーボは，特にトラックジャンプの間，容認できないほど高いフォーカスエラー信号を被る。これはフォーカスシステムの堅牢さを脅かすだろうし，恐らくはフォーカスコイルが燃えるような点まで，フォーカスアクチュエータの損失を招くであろう。情報（即ち，マーク及びランドの列）が色素層に記録された後は，PPN信号は著しく減衰する。この減衰は半分以下であり得る。斯様に減衰したPPNは，ここで，これら記録されたエリアのトラッキングを可能にする。
【００２４】
BDの色素タイプの光記録担体の開発が，光学的なフィードスルーを扱うより進歩した態様を持つ第2世代の光学ドライブに焦点を当てるであろうことが，今や期待されている。これは，書込みばかりでなく，特に読み取りも第1世代の光学ドライブとの互換性の無い，新しい世代の媒体になるであろう。後者は大変重大であると考えられ，利用者の側の混乱を生じるばかりでなく，光学ドライブを損壊することもあり得る（例えば，色素層を持っているin-grooveタイプの媒体の未記録エリアが第1世代の光学ドライブで読み取られた場合，光学的なフィードスルーに起因してフォーカスコイルを焼いてしまう）。本発明は，これらの色素タイプの光記録担体が，第1世代の光学ドライブを損壊することなく，これらの第1世代の光学ドライブで用いられるのを可能にする。
【００２５】
図1は，本発明による円盤状の光記録担体1の実施例を示す。この光記録担体1は，内周側に，エンボスされたマーク，及びエンボスされたマーク間に在るランドから成るエリア2を有する。これらのエンボスされたマーク及びランドは，光記録担体に事前記録されたシステム情報を表している。
【００２６】
光記録担体1は，他に，情報を記録するよう意図された第2のエリア3を有する。利用者の情報は，このエリア3に，レーザビームのような高出力の照射ビームを，光記録担体の色素層上に集束させることによって記録される。この態様にて，周囲のランドに比べてより高い反射率を持つ，様々な長さのマークが形成される。周囲のランドに比べてより高い反射率を持つマークは，しばしばLow-to-Highのマークと呼ばれる。逆に，現行の光記録担体は，一般にマークは周囲のランドに比べてより低い反射率を持つタイプである。周囲のランドに比べてより低い反射率を持つマークは，しばしばHigh-to-Lowのマークと呼ばれる。光記録担体のタイプ（Low-to-Highか，High-to-Lowの何れか）に関する情報は，エリア2に位置する，エンボスされたマークから成る事前記録されたマーク4の列中に符号化されている。
【００２７】
記録された情報を表しているマークは，トラック7に沿って並んでいる。図1は，これらのトラック7の幾つかのみを，大変拡大された倍率で示している。実際には，第2のエリア3の全体が，例えば0.32μm隔てられたトラック7で覆われている。更に，図1は，光記録担体1上で同心円としてトラックを示しているが，（例えばBDディスクのような）360度回転する連続した螺旋によって形成されたトラックも代替的に可能である。物理的には，トラックは溝（groove）によって形成されている。
【００２８】
本発明によれば光記録担体1は，表示エリア5を有する。この表示エリア5は，情報を記録するよう意図された第2のエリア3の中に位置しており，エンボスされたマークから成るエリア2に，可能な限り接近している。斯様な表示エリア5は，光記録担体の所謂Lead-In領域に通常は位置している。
【００２９】
表示エリア5は，第2のエリア3が全て記録されたと考えられるか，又は未記録若しくは部分的に記録されたと考えられるかを表示するよう意図されている。この，全て記録されたとの文は，1個の連続して記録されたエリアを含んでいる。好ましい実施例においては，この表示エリア5は，第2のエリアが全て記録されたと考えられる場合，当該表示エリアに記録されたマークを持っており，第2のエリアが未記録又は部分的に記録されたと考えられる場合は，記録されたマークは持っていない。第2のエリアの状態は，単にマークの有無によってのみで示され，これらのマークは如何なるデータも表していないので，表示エリア5に記録されるマークの品質の要件は比較的緩い。
【００３０】
光記録担体1 の実施例において，移行エリア6が，エンボスされたマークから成るエリア2と表示エリア5との間に供されている。このエリアは，エンボスされたエリア2と記録可能なエリア3との間の移行を可能にし，第1の（エンボスされた）エリアの条件から第2の（記録が可能な）エリアの条件への，マスタリング条件の変更に対して十分な幅を持っている。この幅の好適な値は，6μmから16μmの範囲であるか，又は概略18本から50本の連続したトラックの幅の範囲である。
【００３１】
図2Aは，Blu-rayディスク規格に規定されている，従来技術の光記録担体の論理レイアウトを概観的に示している。第1のエンボスされたエリア2は，ディスクの内径R22.2mmからR23.197mmまでに分布している。第2の記録可能なエリア3は，内径R23.197mmから，所謂Lead-In領域を伴って開始する。このLead-In領域では，例えば，システム及び/又はディスクに関する情報を記録するためのINFO2エリア，及び最適パワー校正手順（OPC）の際にマークを記録するために使われるOPC0エリアのような，事前に規定されたエリアが，特定の目的のために確保されている。「保護領域2」と呼ばれるエリアは，エンボスされたエリアと記録が可能なエリアとの間の移行のために確保されている。
【００３２】
図2Bは，本発明に従う光記録担体の論理レイアウトを示している。本発明の実施例によれば，従来技術の光記録担体での「保護領域2」は，移行エリア6及び表示エリア5に置き換えられた。本発明の他の実施例によれば，（幅が10μmである）移行エリア6は，R23.197mmからR23.207mmにかけて分布しており，隣接する表示エリア5は，R23.207mmからR23.235mmにかけて分布している。
【００３３】
図3は，上で説明された本発明に従う光記録担体と共に使用する，本発明に従う光学読み取り装置の実施例でのステップを示している。
−  最初の初期ステップ31では，光学読み取り装置は第1のエリア2の位置で光ビームの集束を得るように試みる。
−  次の任意のステップ32では，光学読み取り装置は取り付けられた光記録担体1はBDか，DVDか，又はCDディスクかを決定する（このステップは，当該光学読み取り装置がこれらの光ディスクの規格の少なくとも二つに従う光記録担体をサポートしている時にのみ試みられる）。光記録担体がBDの場合は，
−  光記録担体のタイプを表示している，事前記録されたマーク4が，ステップ33にて第1のエリア2から読み取られる。BD規格によれば光記録担体のタイプは，エンボスされた溝の，高周波の半径方向変調（HFM）にて，代替的には符号化されることに留意されたい。
−  次の決定ステップ34において，光記録担体のタイプを表示している事前記録されたマーク4に基づいて，当該光記録担体はLow-to-Highのマーク極性を持っているタイプか否かが決定される。BD規格によれば，Low-to-Highディスク（又は情報を蓄積する層）は，マーク極性フラグにて識別されることが出来，更に，Low-to-Highの色素ディスクは，互換性を持たない規格の拡張からディスクを区別するクラス番号によって識別されることが出来る。当該光記録担体が，Low-to-High型である場合，光学読み取り装置は第1のエリア2に在るエンボスされたマークによって形成されたトラック（又は高周波の半径方向変調（HFM）でエンボスされた溝）に引続き追随し，第2の記録可能なエリア3の始まりへ至る。ある位置から第2の記録可能なエリア3まで至る光学読み取り装置は，
−  表示エリア5を走査するとき，高周波（HF）信号が有るか無いかを検知するために，走査ステップ35を実行する。この第2の記録可能なエリア3へ至る特定の位置は，移行エリア6ではなく，表示エリア5のどこかであるようにしなければならない。例えば，移行エリア6の幅がトラック幅の約32倍（即ち，BD規格によるトラック幅0.32μmに対して10μm）であるときは，表示エリア5を走査する前に，第2の記録可能なエリア3の開始後に35本のトラックがスキップされる。本文での「スキップされる」という単語は，「飛び越す」ことを含んでいるのではなく，むしろ「トラックに沿って走査する」ことを含んでいるのに留意されねばならない。
−  次の決定ステップ36では，HF信号が検知された（即ち，全て記録されている）場合は，この光記録担体は完結されたと決定する。光記録担体が完結されたと考えられるとき，第2の記録可能なエリアの残りの部分の情報は，ステップ37で，安全に読み出すことが出来る。
【００３４】
本発明に従う光学読み取り装置の上記のステップは，幾つかの独自の要素を有するハードウエアにて実行されることが出来る。しかしながら，いくつかのステップは，ハードウエアの一つ及びハードウエアの同じ項目によって実施されることが出来る。更に，いくつかのステップ又はステップの組合せは，適切にプログラムされたプロセッサにて実行されることが出来る。
【図面の簡単な説明】
【００３５】
【図１】本発明の実施例に従った光記録担体を示す。
【図２Ａ】従来技術の光記録担体の論理レイアウトを示す。
【図２Ｂ】本発明に従った光記録担体の論理レイアウトを示す。
【図３】本発明に従った光学読み取り装置の実施例における，プロセスのステップを示す。
【図１】
2009514130.tif 000003
【図２Ａ】
2009514130.tif 000004
【図２Ｂ】
2009514130.tif 000005
【図３】
2009514130.tif 000006
【国際調査報告】
2009514130.tif 000007
2009514130.tif 000008